(57)【要約】【課題】測定データの情報記録媒体への記録に際して手動操作を不要にする。【解決手段】記録部４、情報記録媒体７を装着可能な媒体装着部５、および処理部６を備え、処理部６は、媒体装着部５への情報記録媒体７の装着の有無を検出する装着検出処理を実行しつつ、媒体装着部５に情報記録媒体７が装着されていないときには、取得した測定データＤｍを記録部４に記録させる第１記録処理を実行し、かつ媒体装着部５への情報記録媒体７の装着を検出したときには、記録部４に記録されている測定データＤｍを読み出して情報記録媒体７に記録させるコピー処理を実行すると共に取得した測定データＤｍを情報記録媒体７に記録させる第２記録処理を実行する。【選択図】図１
2018063739.tif 000002
【特許請求の範囲】
【請求項１】
記録部、着脱自在な情報記録媒体を装着可能な媒体装着部、および処理部を備え、
前記処理部は、前記媒体装着部への前記情報記録媒体の装着の有無を検出する装着検出処理を実行しつつ、当該媒体装着部に当該情報記録媒体が装着されていないときには、取得した測定データを前記記録部に記録させる第１記録処理を実行し、かつ当該媒体装着部への当該情報記録媒体の装着を検出したときには、前記記録部に記録されている測定データを読み出して当該情報記録媒体に記録させるコピー処理を実行すると共に取得した測定データを当該情報記録媒体に記録させる第２記録処理を実行する測定データ記録装置。
【請求項２】
前記処理部は、前記第１記録処理、前記コピー処理および前記第２記録処理において、前記測定データを取得した順番を示す識別情報に対応させて当該測定データを時系列順に記録させる請求項１記載の測定データ記録装置。
【請求項３】
前記処理部は、前記取得した順番を示す前記識別情報としてのファイル名を付して前記測定データを記録させる請求項２記載の測定データ記録装置。
【請求項４】
前記処理部は、記録停止の制御信号を入力したときに、前記記録部に未コピーの前記測定データが有るか否かを検出する処理を実行し、この検出の処理において、当該未コピーの測定データが有ることを検出したときには、当該未コピーの測定データが当該記録部に有る旨の表示を表示部に表示させる表示処理を実行する請求項１から３のいずれかに記載の測定データ記録装置。
【発明の詳細な説明】
【技術分野】
【０００１】
本発明は、媒体装着部に着脱自在な記録媒体が媒体装着部に装着されていないときには、入力した測定データを既に装着されている別の記録媒体に記録し、着脱自在な記録媒体が媒体装着部に装着されたときには、この別の記録媒体に既に記憶されている測定データを媒体装着部に装着された記録媒体にコピー可能に構成された測定データ記録装置に関するものである。
【背景技術】
【０００２】
この種の測定データ記録装置の一例として、下記の特許文献１において本願出願人が開示した測定データ記録装置が知られている。この測定データ記録装置は、記録部と、記録部を制御して測定データを記録させるデータ記録処理を実行する制御部と、着脱自在な情報記録媒体を装着可能な媒体装着部とを備え、制御部は、予め規定されたコピー条件が満たされたときに、記録部から測定データを読み出して媒体装着部に装着されている情報記録媒体にコピーするデータコピー処理をデータ記録処理と共に実行する。
【０００３】
具体的には、制御部は、媒体装着部に対する情報記録媒体の装着の有無を監視すると共に、媒体装着部に情報記録媒体が装着されたときに、記録部に記録されている測定データのすべてをコピーするデータコピー処理としての第１処理の実行、記録部に記録されている測定データのうちの予め規定された条件を満たす測定データだけをコピーするデータコピー処理としての第２処理の実行、およびデータコピー処理の不実行のいずれかを選択させるメッセージを表示部に表示させ、操作部に対する操作が行われて第１処理および第２処理のいずれかの実行が選択されたときに、コピー条件が満たされたとして、選択に応じたデータコピー処理を実行する。
【０００４】
したがって、この測定データ記録装置によれば、媒体装着部に情報記録媒体を装着すると共に、表示部に表示されるメッセージを見ながら第１処理および第２処理のいずれかの実行を操作部を操作して選択するだけで記録部内の測定データを情報記録媒体にコピーすることができるため、この種の装置の操作に不慣れな利用者であっても、所望の測定データを確実かつ容易に情報記録媒体にコピーすることが可能となっている。
【先行技術文献】
【特許文献】
【０００５】
【特許文献１】特開２０１１−１４１２０１号公報（第４−９頁、第１−２図）
【発明の概要】
【発明が解決しようとする課題】
【０００６】
ところが、上記の測定データ記録装置には、以下のような改善すべき課題が存在している。すなわち、この測定データ記録装置では、上記したように、装置の操作に不慣れな利用者に対する配慮がなされてはいるものの、メッセージを見ながら操作部を操作して第１処理および第２処理のいずれかの実行を選択するという手動操作が必須なため、操作を誤ると測定データの情報記録媒体へのコピーが行えないという改善すべき課題が存在している。
【０００７】
本発明は、かかる課題を改善するためになされたものであり、測定データの情報記録媒体への記録に際して手動操作を不要にし得る測定データ記録装置を提供することを主目的とする。
【課題を解決するための手段】
【０００８】
上記目的を達成すべく請求項１記載の測定データ記録装置は、記録部、着脱自在な情報記録媒体を装着可能な媒体装着部、および処理部を備え、前記処理部は、前記媒体装着部への前記情報記録媒体の装着の有無を検出する装着検出処理を実行しつつ、当該媒体装着部に当該情報記録媒体が装着されていないときには、取得した測定データを前記記録部に記録させる第１記録処理を実行し、かつ当該媒体装着部への当該情報記録媒体の装着を検出したときには、前記記録部に記録されている測定データを読み出して当該情報記録媒体に記録させるコピー処理を実行すると共に取得した測定データを当該情報記録媒体に記録させる第２記録処理を実行する。
【０００９】
請求項２記載の測定データ記録装置は、請求項１記載の測定データ記録装置において、前記処理部は、前記第１記録処理、前記コピー処理および前記第２記録処理において、前記測定データを取得した順番を示す識別情報に対応させて当該測定データを時系列順に記録させる。
【００１０】
請求項３記載の測定データ記録装置は、請求項２記載の測定データ記録装置において、前記取得した順番を示す前記識別情報としてのファイル名を付して前記測定データを記録させる。
【００１１】
請求項４記載の測定データ記録装置は、請求項１から３のいずれかに記載の測定データ記録装置において、前記処理部は、記録停止の制御信号を入力したときに、前記記録部に未コピーの前記測定データが有るか否かを検出する処理を実行し、この検出の処理において、当該未コピーの測定データが有ることを検出したときには、当該未コピーの測定データが当該記録部に有る旨の表示を表示部に表示させる表示処理を実行する。
【発明の効果】
【００１２】
請求項１記載の測定データ記録装置によれば、利用者は、情報記録媒体を媒体装着部に装着するだけで、他に何らの操作も行うことなく、測定装置から出力されたすべての測定データ（記録部に記録された測定データ（未コピーの測定データ）も含む）を情報記録媒体に自動的に記録することができ、これにより、利用者はすべての測定データが記録された情報記録媒体を確実に取得することができる。
【００１３】
請求項２記載の測定データ記録装置によれば、測定データの記録期間中に、情報記録媒体が装着されていない期間が存在していたとしても、最終的には、識別情報に基づき、すべての測定データを情報記録媒体に最初から記録していた場合と同じ順番（取得した時間順）で、このすべての測定データを情報記録媒体に記録させることができる。
【００１４】
請求項３記載の測定データ記録装置によれば、例えば、利用者が、測定データ記録装置から取り外した情報記録媒体を別の装置に装着して、情報記録媒体に記録されている各測定データの値を、そのファイル名と共にこの別の装置の表示部に表示させることで、表示されたファイル名に基づき、測定データの経時的な変化の様子を目視にて正確に確認することができる。
【００１５】
請求項４記載の測定データ記録装置では、処理部が、記録停止の制御信号を入力したときに、記録部に未コピーの測定データが有るか否かを検出する処理を実行し、この検出の処理において、未コピーの測定データが有ることを検出したときには、未コピーの測定データが記録部に有る旨の表示を表示部に表示させる表示処理を実行する。したがって、この測定データ記録装置によれば、利用者に対して、未コピーの測定データが有ることをこの表示をもって報知でき、これにより、情報記録媒体の媒体装着部への装着を促すことができる。
【図面の簡単な説明】
【００１６】
【図１】測定データ記録装置１の構成図である。
【図２】測定データ記録装置１の１つの動作例を説明するためのフローチャートである。
【図３】測定データ記録装置１の具体的な例での測定データＤｍの流れを示す説明図である。
【図４】測定データ記録装置１の具体的な例での測定データＤｍの流れを示す他の説明図である。
【図５】測定データ記録装置１の他の動作例を説明するためのフローチャートである。
【発明を実施するための形態】
【００１７】
以下、測定データ記録装置の実施の形態について、添付図面を参照して説明する。
【００１８】
最初に、図１に示す測定データ記録装置としての測定データ記録装置１の構成について説明する。
【００１９】
測定データ記録装置１は、一例として、表示部２、記憶部３、記録部４、媒体装着部５および処理部６を備えて構成されると共に不図示の測定装置に接続されて、測定装置から出力される測定データＤｍを取得して、媒体装着部５に装着される主記録部としての情報記録媒体７に記録する機能を備えている。
【００２０】
表示部２は、一例として、液晶ディスプレイで構成されて、処理部６から出力される種々のメッセージを画面に表示する。記憶部３は、例えば、ＲＯＭやＲＡＭなどの半導体メモリやハードディスク装置などを用いて構成されて、処理部６の動作プログラムが予め記憶されると共に、処理部６のワークメモリとして機能する。
【００２１】
記録部４は、例えば、ＲＯＭやＲＡＭなどの半導体メモリ（本例では一例として、測定データ記録装置１内に固定的に配設された内蔵メモリ）で副記録部として構成されて、測定データＤｍを記憶する。媒体装着部５は、例えばＵＳＢ規格に準じた情報記録媒体や種々のメモリカードの規格に準じた情報記録媒体などの着脱自在な情報記録媒体（リムーバブルメディア）７を装着（接続）可能な入出力インターフェース（入出力ポート）として構成されている。また、媒体装着部５は、情報記録媒体７の装着の有無を示す信号（以下では、装着信号ともいう）を処理部６に出力可能となっている。
【００２２】
処理部６は、例えば、コンピュータで構成されて、記憶部３に記憶されている動作プログラムに従い、測定データ記録装置１を総括的に制御する処理を実行可能となっている。具体的には、処理部６は、測定装置から出力される制御信号Ｓｃに基づいて記録開始を指示されたときには、図２に示すデータ記録処理１００を開始して測定装置から出力される測定データＤｍを取得すると共に記録し、制御信号Ｓｃに基づいて記録停止を指示されたときには、データ記録処理１００を停止する（つまり、測定データＤｍの取得および記録を停止する）。また、処理部６は、このデータ記録処理１００において、媒体装着部５への情報記録媒体７の装着の有無を装着信号に基づいて検出する装着検出処理、測定装置から出力される測定データＤｍの取得処理、取得した測定データＤｍの記録部４への第１記録処理および情報記録媒体７への第２記録処理、記録部４に記録されている測定データＤｍを読み出して媒体装着部５に装着されている情報記録媒体７に記録させるコピー処理、並びに予め規定されたメッセージを表示部２に表示させる表示処理などを実行する。
【００２３】
次に、測定データ記録装置１の動作について説明する。なお、測定装置は、不図示の測定対象についての測定を開始するときには記録開始を指示する旨の制御信号Ｓｃを測定データ記録装置１に出力し、その後、所定の時間間隔ｔ（例えば、数分から数十分までの間の予め規定された時間間隔）で測定対象の測定を実行すると共に測定した測定データＤｍを測定データ記録装置１に出力する。また、測定装置は、測定対象についての測定を終了するときには記録停止を指示する旨の制御信号Ｓｃを測定データ記録装置１に出力するものとする。
【００２４】
測定データ記録装置１では、処理部６が、記録開始を指示する旨の制御信号Ｓｃが測定装置から出力されたか否かを検出しつつ、この制御信号Ｓｃの出力を検出したときには、データ記録処理１００を実行する。
【００２５】
このデータ記録処理１００では、処理部６は、まず、装着検出処理を実行して、媒体装着部５への情報記録媒体７の装着の有無を検出する（ステップ１０１）。この検出の結果、処理部６は、情報記録媒体７が装着されていないこと（情報記録媒体７の装着無し）を検出したときには、測定データＤｍを記録する対象（記録対象媒体）を記録部４として決定して（ステップ１０２）、測定装置からの測定データＤｍの出力の有無を検出する処理（ステップ１０６）に移行する。
【００２６】
一方、処理部６は、ステップ１０１において、情報記録媒体７が装着されていること（情報記録媒体７の装着有り）を検出したときには、測定データＤｍを記録する対象（記録対象媒体）を情報記録媒体７として決定し（ステップ１０３）、続いて、記録部４に未コピーの測定データＤｍ（情報記録媒体７にコピーしていない測定データＤｍ）が有るか否かを検出する（ステップ１０４）。処理部６は、ステップ１０４において未コピーの測定データＤｍがあることを検出したときには、コピー処理（つまり、この未コピーの測定データＤｍを記録部４から読み出して、記録対象媒体（この場合、情報記録媒体７）に時系列順にコピー（記録）する処理）を実行して（ステップ１０５）、ステップ１０６に移行する。なお、処理部６は、このコピー処理において、後述するようにして測定データＤｍに付加されたコピー情報（未コピーであるかコピー済みであるかを示す情報）に基づき、記録部４に記録されている測定データＤｍのうちの未コピーの測定データＤｍだけをすべて記録対象媒体（情報記録媒体７）に、後述する識別情報（取得の順番を示す情報）に基づき時系列順にコピーする。また、処理部６は、このようにしてコピーした測定データＤｍに付加されているコピー情報については、コピー済みであることを示す内容に書き換える。また、処理部６は、ステップ１０４において未コピーの測定データＤｍがないことを検出したときには、コピー処理（ステップ１０５）を実行することなく、ステップ１０６に移行する。
【００２７】
処理部６は、ステップ１０６において、測定装置からの測定データＤｍの出力の有無を検出して、測定データＤｍの出力を検出したとき（出力有りを検出したとき）には、次に取得処理を実行する（ステップ１０７）。一方、処理部６は、ステップ１０６において、測定データＤｍの出力を検出しないとき（出力無しを検出したとき）には、ステップ１０１に移行して、上記したステップ１０１〜１０５を再度実行する。
【００２８】
取得処理（ステップ１０７）では、処理部６は、測定装置から出力されている測定データＤｍを取得する。次いで、処理部６は、取得した測定データＤｍを記録対象媒体に記録する記録処理を実行する（ステップ１０８）。この場合、上記したように、媒体装着部５に情報記録媒体７が装着されていないときには、記録部４が記録対象媒体であるため、処理部６は、このステップ１０８において、取得した測定データＤｍを記録部４に記録させる記録処理（第１記録処理）を実行する。一方、上記したように、媒体装着部５に情報記録媒体７が装着されているときには、情報記録媒体７が記録対象媒体であるため、処理部６は、このステップ１０８において、取得した測定データＤｍを情報記録媒体７に記録させる記録処理（第２記録処理）を実行する。
【００２９】
また、処理部６は、取得した測定データＤｍを記録部４や情報記録媒体７に記録させる記録処理（第１記録処理および第１記録処理）において、測定データＤｍを測定装置から取得した順番を示す識別情報に対応させて、測定データＤｍを時系列順で記録させる。本例では一例として、処理部６は、測定データＤｍを取得する都度、取得した順番を示す識別情報としてのファイル名を作成して、このファイル名でこの測定データＤｍを取得順に記録させる。この結果、測定データＤｍが時系列順に記録される。
【００３０】
この場合、このようなファイル名としては、ファイル名の一部に含めた数値を、測定データＤｍを取得する都度、インクリメントさせるもの（つまり、シリアル番号を含むファイル名）であってもよい。例えば、測定データＤｍを示す所定の文字（一例として、Ｓｄａｔａ）と複数桁の数値（例えば、三桁の数値ｘｘｘ）を組み合わせて、ファイル名（Ｓｄａｔａ_ｘｘｘ）とし、測定データＤｍを取得する都度、Ｓｄａｔａ_００１，Ｓｄａｔａ_００２，Ｓｄａｔａ_００３，・・・というように、この数値をインクリメントした（シリアル番号化した）ファイル名で測定データＤｍを記録させることができる。なお、このようにしてインクリメントする数値をファイル名に含める構成に代えて、図示はしないが、時刻情報（取得した日付と時刻とで構成される情報）をファイル名に含める構成や、各文字の順番が公知の文字群（アルファベットなど）の文字をファイル名に含める構成などを採用することもできる。また、測定データＤｍのファイル名は一定のままで、ファイル名の拡張子を、取得した順番を示す識別情報とする構成を採用してもよい。また、測定データＤｍのファイル名および拡張子は一定のままで、取得した順番を示す上記のような識別情報（インクリメントされる数値で構成される情報（シリアル番号）や、時刻情報）を測定データＤｍと関連付けて（対応させて）記録する構成を採用することもできる。
【００３１】
また、処理部６は、第１記録処理（取得した測定データＤｍを記録部４に記録する記録処理）において、例えば、コピー情報（未コピーであるかコピー済みであるかを示す情報。例えば、コピーフラグ）を、未コピーを示す内容にした状態で測定データＤｍに付加して記録させる。また、このコピー情報については、処理部６は、コピー処理を実行して情報記録媒体７にコピーした測定データＤｍに付加されているものに関しては、コピー済みであることを示す内容に書き換える（更新する）。なお、このようなコピー情報を測定データＤｍに付加することで、記録部４に記録されている測定データＤｍが未コピーであるかコピー済みであるかを識別する構成に代えて、図示はしないが、処理部６が、記録部４に記録されている測定データＤｍのうちのどの測定データＤｍが未コピーであるのかコピー済みであるのかを関連付ける対応表を作成して記憶部３（または記録部４）に記憶させる構成を採用し、この対応表を参照することにより、記録部４に記録されている測定データＤｍが未コピーであるかコピー済みであるかを識別し得るようにすることもできる。
【００３２】
処理部６は、上記した記録処理（ステップ１０８）の実行後に、記録停止を指示する旨の制御信号Ｓｃが測定装置から出力されているか否か（つまり、測定装置での測定処理が終了したか否か）を検出し（ステップ１０９）、この記録停止の旨の制御信号Ｓｃの出力を検出しなかったときには、ステップ１０１に移行して、上記したステップ１０１〜１０８を再度実行する。
【００３３】
このようにして、処理部６が記録停止を指示する旨の制御信号Ｓｃの出力を検出するまでの間、ステップ１０１〜１０８を繰り返し実行することにより、情報記録媒体７が装着されていないときに取得された測定データＤｍについては記録部４に記録され、その後、情報記録媒体７が装着されたときには、記録部４に記録されている未コピーの測定データＤｍはすべて情報記録媒体７にコピー（記録）され、またその後に新たに取得される測定データＤｍについては情報記録媒体７に記録される。したがって、処理部６が記録停止の旨の制御信号Ｓｃの出力を検出した時点において情報記録媒体７が装着されているときには、処理部６が取得したすべての測定データＤｍはこの情報記録媒体７に記録された状態となっている。
【００３４】
ただし、例えば、データ記録処理１００の開始当初から、記録停止を指示する旨の制御信号Ｓｃの出力を処理部６が検出するまでの間、情報記録媒体７が装着されていない状態が継続したときや、データ記録処理１００の実行中に情報記録媒体７が媒体装着部５から取り外され、この状態のまま、記録停止を指示する旨の制御信号Ｓｃの出力を処理部６が検出したときには、情報記録媒体７が未装着のときに取得された測定データＤｍ（つまり、未コピーの測定データＤｍ）が記録部４に記録されている状態が生じる。
【００３５】
このような状態において、処理部６は、ステップ１０９において、記録停止の旨の制御信号Ｓｃの出力を検出したときには、記録部４に未コピーの測定データＤｍが有るか否かを検出する処理を実行し（ステップ１１０）、この検出の処理において、未コピーの測定データＤｍが有ることを検出したときには、表示処理を実行して、未コピーの測定データＤｍが記録部４に有る旨の表示（具体的には、この旨を明示するメッセージＭ）を表示部２に出力して画面上に表示させる（ステップ１１１）。これにより、測定データ記録装置１の利用者に対して、情報記録媒体７に記録すべき未コピーの測定データＤｍが記録部４に残存していることを報知することが可能となっている。
【００３６】
処理部６は、ステップ１１０の検出の処理において、未コピーの測定データＤｍが無いことを検出したとき、およびステップ１１１の実行が完了したときに、データ記録処理１００を完了させる。なお、処理部６は、上記のメッセージＭを表示部２に表示させた際には、データ記録処理１００の完了後において、上記の装着検出処理と同じ処理を繰り返し実行し、情報記録媒体７の装着を検出したときには、上記のコピー処理と同じ処理を実行することで、記録部４内の未コピーの測定データＤｍをこの装着された情報記録媒体７にコピーする。これにより、表示部２に表示されているメッセージＭを見た利用者が情報記録媒体７を媒体装着部５に装着するだけで、他に何らの操作も行うことなく（例えば、操作パネルやキーボードを手動で操作することで処理部６に対してコピー指示を入力する操作を不要にしつつ）、この未コピーの測定データＤｍについても自動的に情報記録媒体７に記録される。
【００３７】
以下、データ記録処理１００について、図２，３を参照しつつ、より具体的な例を挙げて説明する。なお、処理部６は、取得した測定データＤｍに対して、一例として「００１」から始まるシリアル番号をファイル名として付して、記録部４および情報記録媒体７に記録するものとする。このため、以下では、例えば、「００１」がファイル名の測定データＤｍについては、「００１」の測定データＤｍというものとする。また、図３に示すように、処理部６は、測定データＤｍを所定の時間間隔ｔで、最初の「００１」の測定データＤｍから、最後の「１００」の測定データＤｍまで取得するものとする。また、一例として、「００１」の測定データＤｍを取得した時点では、情報記録媒体７は装着されていないものとする。
【００３８】
この場合、データ記録処理１００では、処理部６は、最初の「００１」の測定データＤｍを取得する前に、上記したステップ１０１を実行して、情報記録媒体７が装着されていないことを検出する。これにより、処理部６は、ステップ１０２に移行して記録部４を記録対象媒体として決定する。したがって、処理部６は、その後、ステップ１０６において測定装置からの出力を検出して、ステップ１０７において最初の「００１」の測定データＤｍを取得し、ステップ１０８においてこの「００１」の測定データＤｍを第１記録処理を実行して記録部４に記録させる。この時点では、測定処理は終了していないため、処理部６は、ステップ１０１に移行して、情報記録媒体７が装着されるまでの間に取得する「００２」から「０１０」までの測定データＤｍについては、ステップ１０１，１０２，１０６，１０７およびステップ１０８（第１記録処理）を実行して、記録部４に記録させる。
【００３９】
次いで、「０１０」の測定データＤｍの取得後、次の「０１１」の測定データＤｍを取得するまでの間に、情報記録媒体７が装着されたときには、処理部６は、ステップ１０１においてこれを検出する。これにより、処理部６は、ステップ１０３に移行して情報記録媒体７を記録対象媒体として決定する。続いて、処理部６は、ステップ１０４において、記録部４に未コピーの測定データＤｍが有るか否かを検出する。この例では、未コピーの測定データＤｍとして、「００１」から「０１０」までの測定データＤｍが存在している。したがって、処理部６は、コピー処理を実行して、この「００１」から「０１０」までの測定データＤｍを記録部４から読み出して、記録対象媒体としての情報記録媒体７に時系列順にコピーすると共に、記録部４に記録されている「００１」から「０１０」までの測定データＤｍのコピー情報を未コピーからコピー済みに書き換える。
【００４０】
処理部６は、その後、情報記録媒体７が取り外されるまでの間に取得する「０１１」から「０５１」までの測定データＤｍについては、ステップ１０１，１０３，１０４，１０６，１０７およびステップ１０８（第２記録処理）を実行して、情報記録媒体７に時系列順に記録させる。
【００４１】
次いで、「０５１」の測定データＤｍの取得後、次の「０５２」の測定データＤｍを取得するまでの間に、情報記録媒体７が取り外されたときには、処理部６は、ステップ１０１においてこれを検出する。これにより、処理部６は、ステップ１０２に移行して記録部４を記録対象媒体として決定する。したがって、処理部６は、その後、情報記録媒体７が再度、装着されるまでの間に取得する「０５２」から「０７３」までの測定データＤｍについては、ステップ１０１，１０２，１０６，１０７およびステップ１０８（第１記録処理）を実行して、記録部４に時系列順に記録させる。
【００４２】
続いて、「０７３」の測定データＤｍの取得後、次の「０７４」の測定データＤｍを取得するまでの間に、情報記録媒体７が再度、装着されたときには、処理部６は、ステップ１０１においてこれを検出する。これにより、処理部６は、ステップ１０３に移行して情報記録媒体７を記録対象媒体として決定する。続いて、処理部６は、ステップ１０４において、記録部４に未コピーの測定データＤｍが有るか否かを検出する。この例では、未コピーの測定データＤｍとして、「０５２」から「０７３」までの測定データＤｍが存在している。したがって、処理部６は、コピー処理を実行して、この「０５２」から「０７３」までの測定データＤｍを記録部４から読み出して、記録対象媒体としての情報記録媒体７に時系列順にコピーすると共に、記録部４に記録されている「０５２」から「０７３」までの測定データＤｍのコピー情報を未コピーからコピー済みに書き換える。
【００４３】
処理部６は、その後、「０７４」の測定データＤｍから最後に取得する「１００」の測定データＤｍまでの測定データＤｍについては、ステップ１０１，１０３，１０４，１０６，１０７およびステップ１０８（第２記録処理）を実行して、情報記録媒体７に時系列順に記録させて、データ記録処理１００を完了させる。
【００４４】
これにより、この測定データ記録装置１では、情報記録媒体７が最初に装着されていなかったり、途中で取り外されたりしたとしても、その間に記録部４に記録される測定データＤｍについて、利用者が処理部６に対してこれらの測定データＤｍを情報記録媒体７にコピーさせるための操作を行うことなく、利用者が情報記録媒体７を媒体装着部５に装着するだけで、処理部６がコピー処理を自動的に実行して情報記録媒体７に時系列順にコピーする。したがって、この測定データ記録装置１では、情報記録媒体７が最初に装着されていなかったり、途中で取り外されたりしたとしても、データ記録処理１００の完了までに、利用者が情報記録媒体７を媒体装着部５に装着するだけで、処理部６が測定装置から取得したすべての測定データＤｍ（図３では、「００１」から「１００」までの測定データＤｍ）を情報記録媒体７に確実に時系列順に記録させることが可能であり、利用者はこのようにしてすべての測定データＤｍが時系列順で記録された情報記録媒体７を確実に取得することが可能となっている。
【００４５】
また、図３に示す具体的な例において、情報記録媒体７が取り外された後に、情報記録媒体７の再装着がなされなかったとき、つまり図４に示す他の具体的な例となったときには、処理部６は、情報記録媒体７が取り外された後に取得した「０５２」の測定データＤｍから最後の「１００」の測定データＤｍまでの測定データＤｍについては、ステップ１０１，１０２，１０６，１０７およびステップ１０８（第１記録処理）を実行して、記録部４に時系列順に記録させる。この場合、処理部６は、ステップ１０９で記録停止の旨の制御信号Ｓｃの出力を検出した後に実行するステップ１１０において、記録部４に未コピーの測定データＤｍが有ることを検出する。これにより、処理部６は、ステップ１１１を実行して、表示部２にメッセージＭ（未コピーの測定データＤｍが記録部４に有る旨）を表示させて利用者に報知する。これにより、利用者は、このメッセージＭを見て、情報記録媒体７を媒体装着部５に装着することが可能である。上記したように、処理部６は、データ記録処理１００の完了後において、装着検出処理を繰り返し実行し、情報記録媒体７の装着を検出したときには、コピー処理を実行する。したがって、この測定データ記録装置１では、記録部４に未コピーの測定データＤｍが有る状態でデータ記録処理１００が完了した場合であっても、利用者に対する上記のメッセージＭを表示部２に表示させることができることから、この未コピーの測定データＤｍについても、利用者が情報記録媒体７を媒体装着部５に装着するだけで、他に何らの操作も行うことなく、情報記録媒体７に自動的に記録することが可能である。これにより、利用者はすべての測定データＤｍが記録された情報記録媒体７を確実に取得することが可能となっている。
【００４６】
このように、この測定データ記録装置１では、処理部６が、媒体装着部５への情報記録媒体７の装着の有無を検出する装着検出処理を実行しつつ、媒体装着部５に情報記録媒体７が装着されていないときには、取得した測定データＤｍを記録部４に記録させる第１記録処理を実行し、かつ媒体装着部５への情報記録媒体７の装着を検出したときには、記録部４に記録されている測定データＤｍ（未コピーの測定データＤｍ）を読み出して情報記録媒体７に記録させるコピー処理を実行すると共に、その後に取得した測定データＤｍについては情報記録媒体７に記録させる第２記録処理を実行する。
【００４７】
したがって、この測定データ記録装置１によれば、利用者は、情報記録媒体７を媒体装着部５に装着するだけで、他に何らの操作も行うことなく（操作パネルやキーボードに対する手動操作を不要にしつつ）、測定装置から出力されたすべての測定データＤｍ（記録部４に記録された測定データＤｍ（未コピーの測定データＤｍ）も含む）を情報記録媒体７に自動的に記録することができ、これにより、利用者はすべての測定データＤｍが記録された情報記録媒体７を確実に取得することができる。
【００４８】
また、この測定データ記録装置１では、処理部６が、第１記録処理、コピー処理および第２記録処理において、測定データＤｍを取得した順番を示す識別情報に対応させてこの測定データＤｍを時系列順で記録部４や情報記録媒体７に記録させる。したがって、この測定データ記録装置１によれば、データ記録処理１００の実行中（測定データＤｍの記録期間中）に、情報記録媒体７が装着されていない期間が存在していたとしても、最終的には、この識別情報に基づき、すべての測定データＤｍを情報記録媒体７に最初から記録していた場合と同じ順番（取得した時間順）で、このすべての測定データＤｍを情報記録媒体７に記録させることができる。
【００４９】
また、この測定データ記録装置１によれば、処理部６が、取得した順番を示す識別情報としてのファイル名（例えば、上記したようなシリアル番号を含むファイル名）を付して測定データＤｍを記録部４や情報記録媒体７に記録させるため、例えば、利用者が、測定データ記録装置１から取り外した情報記録媒体７を別の装置に装着して、情報記録媒体７に記録されている各測定データＤｍの値を、そのファイル名と共にこの別の装置の表示部にリスト表示させることで、表示されたファイル名に基づき、測定データＤｍの経時的な変化の様子を目視にて正確に確認することができる。
【００５０】
また、この測定データ記録装置１では、処理部６が、記録停止の制御信号Ｓｃを入力したときに、記録部４に未コピーの測定データＤｍが有るか否かを検出する処理を実行し、この検出の処理において、未コピーの測定データＤｍが有ることを検出したときには、未コピーの測定データＤｍが記録部４に有る旨の表示（メッセージＭ）を表示部２に表示させる表示処理を実行する。したがって、この測定データ記録装置１によれば、利用者に対して、未コピーの測定データＤｍが有ることをこのメッセージＭをもって報知でき、これにより、情報記録媒体７の媒体装着部５への装着を促すことができる。
【００５１】
なお、図２に示すデータ記録処理１００を実行する上記の測定データ記録装置１では、上記したように、測定装置における測定処理の終了後において、記録部４に未コピーの測定データＤｍが有るときに、表示部２にその旨を示すメッセージＭを表示させる構成であったが、図２に示すデータ記録処理１００におけるステップ１０９を、ステップ１１０，１１１の後に実行する構成（図５に示すデータ記録処理１００Ａを実行する構成）とすることで、測定装置における測定処理の終了前から、記録部４に未コピーの測定データＤｍが有るときに、表示部２にその旨を示すメッセージＭを表示させる構成とすることもできる。
【００５２】
また、上記の例では、未コピーであるかコピー済みであるかを示すコピー情報を付加して測定データＤｍを記録部４に記録させる構成を採用したが、このコピー情報を付加しない構成を採用することもできる。この構成では、処理部６は、記録部４に測定データＤｍを記録する際（第１記録処理のとき）には測定データＤｍだけを記録し、情報記録媒体７が装着され、かつ記録部４に測定データＤｍが記録されているときには、この測定データＤｍを情報記録媒体７にコピーすると共に、コピーが完了した測定データＤｍについては記録部４から削除するというコピー処理を実行する。この構成を採用した測定データ記録装置１においても、記録部４に記録されている測定データＤｍは実質的にすべて未コピーの測定データＤｍであることから、上記のコピー情報を付加して測定データＤｍを記録部４に記録させる構成のときと同様の上記の効果を奏することができる。
【００５３】
また、上記の例では、測定データ記録装置１が表示部２を備える構成を採用しているが、この構成に代えて、測定データ記録装置１自体は表示部２を備えずに、処理部６が上記のメッセージＭを表す表示データを、測定データ記録装置１の外部に配設された表示装置（測定データ記録装置１とは別体の表示装置）に出力して表示させる構成を採用することもできる。
【００５４】
また、上記の例では、記録部４を内蔵メモリで構成しているが、この構成に代えて、図示はしないが、媒体装着部５と同じ機能を備えた他の媒体装着部を配設し、この他の媒体装着部に着脱可能な情報記録媒体（上記の情報記録媒体７と同等の記録媒体）で記録部４を構成することもできる。
【符号の説明】
【００５５】
１  測定データ記録装置
４  記録部
５  媒体装着部
６  処理部
７  情報記録媒体
Ｄｍ  測定データ
【図１】
2018063739.tif 000003
【図２】
2018063739.tif 000004
【図３】
2018063739.tif 000005
【図４】
2018063739.tif 000006
【図５】
2018063739.tif 000007